(57)【要約】【課題】いずれの方向についても安定性がよく、しかも自立可能な介護用の杖を提供すること。【解決手段】介護用の杖１は、十字形状の握り部４と、並行に配列された４本の支柱２とから構成されている。各支柱２は、ほぼ同じ長さを有し、それぞれの上端部２ａは、各支柱２が握り部４を構成するパイプ部材の軸方向に直交する方向へ延びるように握り部４の各端部に接続されている。各支柱２の上端部２ａと下端部２ｂとの間の適所には連結部６が取り付けられており、各支柱２を杖１を下端側で結束している。【選択図】　　　図１
0003098668.tif 000002
【実用新案登録請求の範囲】
【請求項１】
棒状部材を十字形に組み合わせて形成された握り部と、ほぼ同じ長さを有し、前記握り部を構成する前記棒状部材の軸方向に直交する方向へ延びるように前記握り部の４つの端部に上端部が連接しかつ並行に配列された４本の支柱と、前記各支柱の前記上端部と該上端部とは反対側の下端部との間の適所で前記各支柱を相互に連結してその相互間隔を保持すべく結束する連結部とから構成されていることを特徴とする介護用の杖。
【請求項２】
前記各支柱の前記下端部に滑り止め用のキャップが装着されている請求項１に記載の介護用の杖。
【考案の詳細な説明】
【０００１】
【考案の属する技術分野】
本考案は、一人では自由に歩行することが困難な高齢者や身体に障害のある人が使うのに適する介護用の杖に関する。
【０００２】
【従来の技術】
従来の杖は、一本脚のものが一般的であるが、杖の安定度を高めるために、二本の支柱を並行に配列して形成されたものが知られている（例えば、特許文献１参照。）。特許文献１に開示された二本脚の杖は、握棒に対し直角方向に二本の支柱を並行に取り付け、その二本の支柱の下端側においてその間隔を接続部材で保持強化したものである。
【０００３】
【特許文献１】
特開２０００−２１７８７６号公報
【０００４】
【考案が解決しようとする課題】
しかしながら、特許文献１に開示された二本脚の杖は、高齢者や障害者等にとって、非常に不安定である。すなわち、二本脚の杖の場合、二本の支柱の配列方向には安定性が比較的にあるが、二本の支柱の配列方向に直交する方向には安定性がほとんどない、という問題があり、そのため立ち止まって杖にもたれ掛かったり、杖に体重をあずけて立ち上がったりするときなどには、危険を伴うことがあった。また、二本脚の杖は、それ自体に自立性能がないので、不使用時には壁などに立て掛けておかなければ倒れてしまい、特に歩行の困難な人にとってはその置き場所を探すにも苦労をする、という問題があった。
【０００５】
本考案の目的は、かかる従来の問題点を解決するためになされたものであり、安定性が非常に高く、しかも自立可能な介護用の杖を提供することにある。
【０００６】
【課題を解決するための手段】
上記した課題解決のために、この考案は、以下のように構成されている。すなわち、本考案に係る介護用の杖は、棒状部材を十字形に組み合わせて形成された握り部と、ほぼ同じ長さを有し、前記握り部を構成する前記棒状部材の軸方向に直交する方向へ延びるように前記握り部の４つの端部に上端部が連接しかつ並行に配列された４本の支柱と、前記各支柱の前記上端部と該上端部とは反対側の下端部との間の適所で前記各支柱を相互に連結してその相互間隔を保持すべく結束する連結部とから構成されていることを特徴とする。
【０００７】
本考案に係る介護用の杖における好ましい一つの実施態様として、前記各支柱の前記下端部に滑り止め用のキャップが装着されている、ことである。
【０００８】
【考案の実施の形態】
以下、本考案に係る介護用の杖について添付図面を参照して詳細に説明すると、以下のとおりである。図１は、本考案の一実施形態に係る介護用の杖１を示す斜視図、図２は、介護用の杖１を仮想線で示す高齢者が使用している状態を示す斜視図である。
【０００９】
介護用の杖１は、並行に配列された中空の４本の支柱２と、十字形状の握り部４とから構成されている。各支柱２は、Ｔ字型のパイプ状継ぎ手部材５を介して上下２本の塩化ビニル製パイプ部材３ａ，３ｂで構成され、各支柱２は、すべてほぼ同じ長さで形成されている。十字形状の握り部４は、塩化ビニル製のパイプ部材を水平面内でほぼ９０度に交差させて形成されたものである。具体的には、予め一体成形された十字型のパイプ状継ぎ手４ａの各端部に、直角に曲がったＬ字型のパイプ状継ぎ手４ｂの一端を嵌め込み、必要に応じて接着剤で固着するなどして形成されている。
【００１０】
各支柱２の上端部２ａ即ちＴ字型のパイプ状継ぎ手５に嵌め込まれている各パイプ部材３ａの端部とは反対側の端部２ａは、各支柱２の長さ方向が、十字形状をした握り部４における仮想平面に対して直交するように握り部４の各端部即ちＬ字型のパイプ状継ぎ手４ｂの他端に嵌め込んで接続されている。
【００１１】
介護用の杖１は、各支柱２の上端部２ａと、これら上端部２ａとは反対側の下端部２ｂとの間の適所で各支柱２を相互に連結してそれらの間隔を保持する連結部６を備えている。この連結部６は、図１から明からなように塩化ビニル製のパイプ部材を水平面内でほぼ９０度に交差させるように一体化して形成され、十字方向へ延びる各パイプ部の端部が各支柱２に接続されている。
【００１２】
具体的には、連結部６は、握り部４と同じように予め一体成形された十字型のパイプ状継ぎ手６ａで構成することができ、十字型のパイプ状継ぎ手６ａの各端部を各支柱２に介在されているＴ字型のパイプ状継ぎ手部材５に嵌め込んで各支柱２に連結されている。この場合、Ｔ字型のパイプ状継ぎ手５と各支柱２との嵌め込み接続、および十字型とＴ字型の各パイプ状継ぎ手５，６ａの嵌め込み接続には、必要に応じて接着剤を併用することができる。
【００１３】
各支柱２の下端部２ｂには、滑り止め用のキャップ７を装着しておくことが好ましい。このキャップ７は、ゴムや合成樹脂などの材料で形成することができる。既述の実施形態では、支柱２、握り部４および連結部６は、塩化ビニル製のパイプ部材で形成されていたが、この考案では塩化ビニル製である必要はなく、軽量な材質であれば、何でもよく、例えばアルミ材料、木材、竹材などで形成することも好ましい。また、それらの断面形状も円形、楕円形、四角形など何でもよく、さらに中実の棒状部材で形成されていてもよい。このように本考案に係る介護用の杖では、それを構成する材料が、塩化ビニル製のパイプ部材、アルミ材料、木材、竹材などから形成されているので、製作時にパイ部材３ａ，３ｂを簡単に切断でき、その結果使用者の背丈に合わせた高さの杖を容易に作ることができる。
【００１４】
介護用の杖１の使い方としては、図２に仮想線で示す高齢者又は障害者Ｍが、その手で握り部４を掴み、この杖１に自身の体重を掛けるようにしながら歩行する。その際、握り部４が十字型のパイプ状継ぎ手４ａで形成されているため、これを上方から見たときに中央に位置する十字部における各パイプ部間に各指を入れるようにして該十字部上に手の平を乗せて握ることになるので握り部４から手が外れ難く、安全度が非常に高くなる。
【００１５】
また、４本の支柱２は、各支柱２の下端部２ｂにおける接地点が仮想の四角形のコーナー部に位置するように配列されかつ相互に固定されているので、杖１を自立させることができる。杖１が自立するということは、杖１の上下方向に直交する全方向に対して安定することを意味し、その結果、杖１に使用者の全体重を掛けるように寄り掛っても危険がなく、また使用者がしゃがんだ姿勢から立ち上がる場合でも非常に安全度が高い。
【００１６】
更に、既述の実施形態に係る介護用の杖１では、もし、使用者が転倒した場合、使用者が杖１から手を離せば杖１が倒れることはなく、また、そのようなときに倒れた使用者が杖１の下方分、即ち低い位置に設けられている連結部６を掴むことによって杖１を支えとして自分で立ち上がることができる。その場合、連結部６は既述の実施形態の杖１のように十字型をしていれば、その中央部を掴むので、杖１の重心方向へ力が付与され、その結果、杖１がぐらついたりすることがなく、使用者に対して良好な支えとなる。この連結部６は、杖１の製作時にパイ部材３ａ，３ｂの長さを適宜選択することにより、杖１の高さ方向における自由な位置に設けることができる。
【００１７】
【考案の効果】
本考案に係る介護用の杖によれば、４本の支柱を並行に並列し、これらを十字形状の握り部の各端部に接続しているため、握り部に掛けた体重が効果的に各支柱に分散されて極めて高い安定性を発揮し、握り部が十字形状をしていることと相まって、体重を支え易く、使い勝手に優れている。また、この杖は、自立するため不使用時には壁等に立てかける必要もなく、どこにでも置いておくことができる。
【図面の簡単な説明】
【図１】本考案の一実施形態に係る介護用の杖を示す斜視図。
【図２】図１に示す介護用の杖の使用状態を示す斜視図。
【符号の説明】
１　介護用の杖
２　支柱
２ａ　支柱の上端部
２ｂ　支柱の下端部
３ａ，３ｂ　支柱を構成するパイプ部材
４　握り部
４ａ　十字型のパイプ状継ぎ手部材
４ｂ　Ｌ字型のパイプ状継ぎ手部材
５　Ｔ字型のパイプ状継ぎ手部材
６　連結部
６ａ　十字型のパイプ状継ぎ手部材
７　滑り止め用のキャップ
【図１】
0003098668.tif 000003
【図２】
0003098668.tif 000004